Podtech/llm-jp-corpus-v4-ja_patent huggingface dataset:
(57)【要約】      （修正有）【課題】ブラジャーを着用したときの肌の蒸れを無くし、洗濯した後、即乾性が高く、かつ、弾力性があり、バストの形状を保つことに優れたブラジャーで、立体編みクッション材を芯材とした立体編み構成体のカップ部を有するブラジャーを提供する。【解決手段】ブラジャーにおけるカップ部１を、通気性に富み、洗濯した後、即乾性があり、バストの形状の保持性に優れた市販の複層ハニカム構造になったポリエステルのような素材を用いた立体編み構成体２で一体的に形成する。この立体編み構成体部をサンドするように、外側面をレース地様の生地で覆い、内側の肌に触れる面を肌に良いガーゼ様の綿生地で覆うことにより、立体編み構成体のカップ部を有するブラジャーを形成する。【選択図】図１
0003175485.tif 000002
【実用新案登録請求の範囲】
【請求項１】
一般のブラジャーにおけるカップ部を、通気性に富み、洗濯した後、即乾性があり、バストの形状の保持性に優れた市販の複層ハニカム構造になったポリエステルのような素材を用いた立体編み構成体で一体的に形成し、この立体編み構成体部をサンドするように、外側面をレース地様の生地で覆い、内側の肌に触れる面を肌に良いガーゼ様の綿生地で覆うことを特徴とする立体編み構成体のカップ部を有するブラジャー。
【請求項２】
立体編み構成体の柔軟な形状の復元性を利用し、一般のブラジャーのカップ部に本考案の立体編み構成体だけを簡単に嵌め外しする形で利用できることを特徴とする請求項１における立体編み構成体のカップ部を有するブラジャー。
【考案の詳細な説明】
【技術分野】
【０００１】  本考案は、ブラジャーを着用したときの肌の蒸れをなくし、洗濯した後、即乾性が高く、かつ、弾力性があり、バストの形状を保つことに優れたブラジャーで、立体編みクッション材を芯材とした立体編み構成体のカップ部を有するブラジャーに関するものである。
【背景技術】
【０００２】  従来のブラジャーは、その芯材をゴム質のクッション体、あるいは、ウレタンフォームなどの素材で作ったものであった。
【考案の概要】
【考案が解決しようとする課題】
【０００３】  従来のブラジャーは、それに使われているクッション体がゴム質のものは、通気性が無かったり、それに乏しいため、蒸れて不快感を生じていた。
また、ウレタンフォームのクッション体を使用しているものは、その弾力性に乏しく、乳の体型を保持するには弱いという不満足感があった。
また、従来品で、通気性に欠ける材質のものは、ブラジャーが汚れて、洗濯した後、乾き難いという欠点があった。
【課題を解決するための手段】
【０００４】  一般のブラジャーにおけるカップ部を、通気性に富み、洗濯した後、即乾性があり、バストの形状の保持性に優れた市販の複層ハニカム構造になったポリエステルのような素材を用いた立体編み構成体で一体的に形成し、この立体編み構成体をサンドするように、外側面をレース地様の生地で覆い、内側の肌に触れる面を肌に良いガーゼ様の綿生地で覆う。
このように一体的に形成するだけでなく、立体編み構成体の柔軟な形状の復元性を利用し、一般のブラジャーのカップ部に本考案の立体編み構成体だけを、特別の取り付け部や留め部なしで、簡単に嵌め外しする形で利用することもできる。
以上のように構成された立体編み構成体のカップ部を有するブラジャーである。
【考案の効果】
【０００５】  ブラジャーのカップ部が複層構造の立体編み構成体になっているために、通気性が抜群で、蒸れる心配がなく、洗濯した後も速やかに乾く。
身体の複雑な動きで、変形しても立体編み構成体の柔軟な形状の復元性によって、すぐにきれいな元通りのバストの形状を保持できるので、型崩れの心配がない。
非常に軽量なので、長時間使用しても疲れを感じない。
【図面の簡単な説明】
【０００６】
【図１】  本考案を内側から見た斜視図である。
【考案を実施するための形態】
【０００７】  以下、考案を実施するための形態を説明する。
一般のブラジャーにおけるカップ部（１）を、通気性に富み、洗濯した後、即乾性があり、バストの形状の保持性に優れた市販の複層ハニカム構造になったポリエステルのような素材を用いた立体編み構成体（２）で一体的に形成し、この立体編み構成体（２）をサンドするように、外側面をレース地様の生地で覆い、内側の肌に触れる面を肌に良いガーゼ様の綿生地で覆う。
このように一体的に形成するだけでなく、立体編み構成体（２）の柔軟な形状の復元性を利用し、一般のブラジャーのカップ部（１）に、本考案の立体編み構成体（２）だけを、特別の取り付け部や留め部なしで、簡単に嵌め外しする形で利用することもできる。
本考案は、以上のような構成であり、これを実際に使用するときは、一般のブラジャーと同じ要領で身に付ければよい。
手持ちのブラジャーを使用するときは、そのカップ部（１）に、本考案の立体編み構成体（２）を簡単に嵌め置くだけで普通に身に付ければよく、使用後は立体編み構成体をただ手で取り外すだけでよい。
【符号の説明】
【０００８】１  カップ部
２  立体編み構成体
【図１】
0003175485.tif 000003
(57)【要約】      （修正有）【課題】ご飯等の食事に用いる茶碗に噛むことの大切さを認識し、噛む行動を促すためにデザイン的な文字等を印字することにより食事をよく噛むことで健康増進を促す、食器椀を提供する。【解決手段】ご飯茶碗、飯椀として使用する陶磁器、プラスチック等食器として使用される器の内外側面上部周囲、副食用の皿類は皿の周囲にそれぞれ噛むことを表す言葉で噛んで食べようと意識付けの目的で噛むと言う言葉等を羅列印字し、又飯椀類等は内側底面に、皿類は皿の中央付近に噛むことによる効果の標語、川柳などを書き込み噛むことに意識付ける、食事をする際はよく噛むことは忘れるご飯椀側面上部にこの文字が描かれていることで噛むことが意識され、噛むことに努力される。ご飯椀の底からは標語が現れ噛むことの重要性が認識されよく噛む食べ方に導ける。【選択図】図１
0003175489.tif 000002
【実用新案登録請求の範囲】
【請求項１】
ご飯茶碗、飯椀として使用する陶磁器，プラスチック，メラミン等の各種樹脂食器椀として使用される器の内外側面上部周囲、皿類は皿の周囲にそれぞれ噛むことを表す言葉、噛む、噛め、噛もう、噛みましょう、よく噛む等などの言葉、または方言でこれらの噛む表現を表す言葉等を羅列印字したことを特長とした食器椀。
【請求項２】
ご飯茶碗、飯椀として使用する陶磁器、プラスチック，メラミン等の各種樹脂食器として使用される器の内側底面に、皿類は皿の中央付近に噛むことによる効果の標語、川柳などを印字する、標語の内容は噛む噛め等の噛むことの表現、噛む回数秒数などの噛む時間の動作、ダイエット・メタボ・スリム等の体型、健康な身体・歯の健康など健康により良い効果の表現など、また方言でこれらの言葉を表されてもの、標準語方言それぞれの言葉で考えられた標語、川柳等で印字又はデザイン文字を記載したことを特長とした食器椀。
【考案の詳細な説明】
【技術分野】
【０００１】本考案はご飯等の食事に用いる茶碗に噛むことの大切さを認識し、噛む行動を促すためにデザイン的な文字等を印字する、これにより食事をよく噛むことで健康増進を促す、食器椀に関するものである。
【背景技術】
【０００２】従来はダイエットを目的として茶碗内の側面に目盛りをつけ目盛りまで盛り付ける方法、底上げした茶碗で盛り付けに満足感を充足させる、カロリー表示で食事の量を減らす等のダイエット茶碗が開示されています、これらは食事の量を減らすためのものです、その他一般的に食器類は色々なデザイン、文字等が描かれた観賞目的なものが食器椀としてあります。
【先行技術文献】
【特許文献】
【０００３】
【特許文献１】特許公開２００６−２１８２４３号広報
【特許文献２】実用新案登録第３０９０２４４号広報
【特許文献２】特許公開２０１０−５３４８号広報
【考案の概要】
【考案が解決しようとする課題】
【０００４】食事の際食物をよく噛むことは唾液の分泌で食事がおいしくいただけて消化をサポート、よく噛むことで顔の筋肉やあごを使うことで発育を助け又顔のタルミやシワといった美容面にもよく、よく噛むことで食べ物の中の有害な異物を発見することが出来ます、よく噛んで食べることにより満腹中枢を刺激し食べ過ぎを防止しダイエットにつながります、よく噛むことは顎位の保持につながり正しい姿勢を保つ効果があります、このように噛むことは健康な身体造りに大切なことです、よく噛めば良いと言うことは一般的に理解されていますが、そのことは直ぐに忘れがちです、この考案はこれを解決しようとするものです。
【課題を解決するための手段】
【０００５】ご飯茶碗、飯椀として使用する陶磁器、プラスチック，メラミン等食器椀として使用される器の側面上部周囲、副食用の皿類は皿の周囲にそれぞれ噛むことを表す言葉、噛む、噛め、噛もう、噛みましょう、よく噛む等の噛んで食べようと意識付けの目的で噛むと言う言葉等をデザインして羅列印字します、又ご飯椀等は内側底面に、皿類は皿の中央付近に噛むことによる効果の標語、川柳などを書き込み噛むことの大切さに認識付ける食器を提供する。
【考案の効果】
【０００６】食事をする際はよく噛むことは忘れていますご飯椀側面上部にこの文字が描かれていることで噛むことが意識され、噛むことに努力されます、ご飯椀の底からは標語が現れ噛むことの大切さが毎日の食事の際に導ける。
【図面の簡単な説明】
【０００７】
【図１】本考案のご飯椀の斜視図
【図２】本考案の食器椀を上からみた姿図
【考案を実施するための形態】
【０００８】ご飯椀、食事用お椀、食器等の側面上部に噛むと言う文字をデザイン的に羅列し、その中央底面には使用する人に合わせた噛むことによる成果の標語、川柳等を、食器類制作、製造の際に印字する。
【実施例】
【０００９】この考案のご飯椀に主食、副食を盛り付けします盛り付けられた食材により食器椀に印字された噛むの文字が見え隠れしています、食事が進むにつれ噛むと言う文字が目に付き噛まなければと、毎日の食事で噛むことが洗脳されます、その後に標語により、目的が出来ます又よく噛むことで食事の時間が長くなり今まで食べていた量よりも少ない食事量で満足な食事となります。
【符号の説明】
【００１０】（１）噛むことの文字の印字。
（２）標語、川柳等を印字
【図１】
0003175489.tif 000003
【図２】
0003175489.tif 000004
(57)【要約】      （修正有）【課題】電源プラグの接続部からのジュール熱による発煙・発火を防止する一体成形プラグを提供する。【解決手段】一体成形プラグ（電源プラグ）１０は、刃および／又はピンを保持する熱硬化性中子３と、該中子の下面において、刃および／又はピンとコードの電線のカシメ部分を埋設するように射出成形された水酸化マグネシウムまたは水酸化アルミニウムを含有するポリオレフィン系混合物の中押し用樹脂４と、前記中子の表面を露呈させて前記中押し樹脂を埋設するように射出成形された熱硬化性樹脂とを有する。【選択図】図１
0003175429.tif 000002
【実用新案登録請求の範囲】
【請求項１】
刃および／又はピンを保持する熱硬化性中子と、中子の下面において、刃および／又はピンとコードの電線のカシメ部分を埋設するように射出成形された水酸化マグネシウムまたは水酸化アルミニウムを含有するポリオレフィン系混合物の中押し用樹脂と、前記中子の表面を露呈させて前記中押し樹脂を埋設するように射出成形された熱硬化性樹脂とを有することを特徴とする一体成形プラグ。
【考案の詳細な説明】
【技術分野】
【０００１】
本考案は、一体成形プラグに関し、特に、内部発熱による内部トラッキングによる発煙・発火を防止できる一体成形プラグ（電源プラグ）に関する。
【背景技術】
【０００２】
従来例のＰＶＣ（ポリ塩化ビニル）混合物の一体成形型電源プラグおける耐トラッキングの対処方法は、プラグ表面（プラグ刃のある面）を覆うユリア樹脂等の耐トラッキングレベルの高い樹脂で成形した中子を使用することによって、プラグのピン（または刃）の付け根表面でのトラッキングを防止するものである。
【考案の概要】
【考案が解決しようとする課題】
【０００３】
しかし、前述の方法では、プラグ成形内部からの接触抵抗等（刃またはピンとコードの電線とのカシメ部分における接触抵抗等）を原因とする高熱によるＰＶＣ樹脂の炭化による内部トラッキングを防止することはできない。すなわち、ＰＶＣ樹脂は、過電流が流れると、発熱し、炭化され、この結果、さらに加熱され、発煙し、発火を生じさせることになる。
【０００４】
また、プラグ刃および／又はピンの下部を樹脂で成形し、極間沿面距離を大きくして耐トラッキング性能を向上させたプラグであっても、前述と同様に、内部発熱による樹脂炭化による内部トラッキングを防止することはできない。
【課題を解決するための手段】
【０００５】
本考案の一体成形プラグは、刃および／又はピンを保持する熱硬化性中子と、中子の下面において、刃、ピンとコードの電線のカシメ部分を埋設するように射出成形された水酸化マグネシウムまたは水酸化アルミニウムを含有するポリオレフィン系混合物の中押し用樹脂と、前記中子の表面を露呈させて前記中押し樹脂を埋設するように射出成形された熱硬化性樹脂とを有することを特徴とする。
【考案の効果】
【０００６】
本考案によると、電源プラグの接続部からのジュール熱による発煙・発火を防止できる。
【図面の簡単な説明】
【０００７】
【図１】本考案の一体成形プラグを示す断面図である。
【図２】本考案の一体成形プラグと従来例のプラグの絶縁抵抗の時間経過を示す実験例のグラフである（Ｌ−Ｎ間）。
【図３】本考案の一体成形プラグと従来例のプラグの絶縁抵抗の時間経過を示す実験例のグラフである（Ｅ−ＬＮ間）。
【考案を実施するための形態】
【０００８】
図１を参照すると、本考案の一体成形プラグ（電源プラグ）１０では、ピン２ａ、刃２ｂ、２ｃが熱硬化性樹脂によって形成された中子３によって保持されている。中子３の下側で、すなわち、プラグ内部で、ピン２ａ、刃２ｂ、２ｃはコードの電線とそれぞれカシメによって接続されている。ピン２ａ、刃２ｂ、２ｃの中子の下側部分、カシメ部分、コードの一部を埋設するように射出成形された水酸化マグネシウムまたは水酸化アルミニウムを含有するポリオレフィン系混合物の中押し用樹脂４が配置されている。中押し用樹脂４を内部に埋設し、中子３の表面を露呈させるように、熱硬化性樹脂、例えば、ＰＶＣ樹脂５が射出成形されて本体ボディが形成されている。
【０００９】
本考案で、中押し用樹脂４として、水酸化マグネシウム（または水酸化アルミニウム）を含有するポリオレフィン系混合物を用いるのは、下記のとおりである。
一体成形プラグの内部温度が約２３０°Ｃ〜約３３０°Ｃの範囲では、ポリオレフィン系混合物の樹脂は、分解・発泡する。生成した水蒸気、二酸化炭素は金属部との隙間やケーブルとの隙間を通して外部に発散する。水酸化マグネシウムは体積抵抗率が１０８−１０１０Ω・ｃｍであり、総体として一定の絶縁抵抗を保持している。
【００１０】
また、約３３０°Ｃを超えると、水酸化マグネシウムは、酸化マグネシウムと水蒸気に分解し、水蒸気が可燃性ガスを希釈し、脱水によって吸熱を行い、樹脂分解後の残渣による断熱層が形成され、燃焼を防止する。また、水酸化アルミニウムは約３３０°Ｃより低い温度で分解し、同様に、燃焼を防止する。
【００１１】
図２、図３は、刃およびピンを２００°Ｃを超える高温に加熱した場合のＬ−Ｎ間の絶縁抵抗およびＥ−ＬＮ間の絶縁抵抗の時間経過に沿って測定されたグラフである。なお、絶縁抵抗を測定する際には、６０°Ｃ９５％ＲＨの高温高湿槽に２４〜４８時間放置して、プラグ内部に吸湿させてから測定する。なお、水酸化マグネシウムを含有するポリオレフィン系混合物をさらに３５０°Ｃまで昇温し、同温度で８時間保持し、その後高温高湿槽内に２４〜４８時間放置して吸湿させた後ＡＣ１５００Ｖ印加した実験でも、発煙・発火は見られなかった。
【００１２】
水酸化マグネシウムを含有するポリオレフィン系混合物（グラフ内では特殊材料として表記してある）の場合には、Ｌ−Ｎ間の絶縁抵抗およびＥ−ＬＮ間の絶縁抵抗は１ＭΩ以下になることなく、発煙・発火は見られなかった。一方、水酸化マグネシウムを含有するポリオレフィン系混合物を用いず、中押し用樹脂にＰＶＣ樹脂を使用してカシメ部分等を埋設するように射出成形した場合には、加熱２００時間経過後に、吸湿させてＡＣ２５０Ｖを印加すると発煙・発火が認められたため、実験を中止した。
【符号の説明】
【００１３】
１０  一体成形プラグ（電源プラグ）
２    ピン、刃
３    中子
４    中押し用樹脂
５    本体ボディ（ＰＶＣ樹脂）
【図１】
0003175429.tif 000003
【図２】
0003175429.tif 000004
【図３】
0003175429.tif 000005
(57)【要約】      （修正有）【課題】歩いて靴を踏み付ける行為により、靴内部の風力発電機が発電し電気を供給する靴を提供する。【解決手段】靴１は、外気を取り入れて吹き出す通気ポンプ７と、ファン１１を回転させて発電する風力発電機１０を備えている。歩く行為によりポンプ内の空気は風となり吹き出しホース６を通りファン１１めがけて集中的に吹き出すことでファン１１を回転させて発電しコネクタ９から接続する靴である。電気のない場所や停電時には、この靴のコネクタにケーブルとライトを接続して足踏み運動をすることにより、明かりを供給する。靴の形をスニーカーに変えた場合セーフティライトに接続して、小学生の通学用靴に使用できる。【選択図】図１
0003175495.tif 000002
【実用新案登録請求の範囲】
【請求項１】
靴内部ヒール部に風力発電機を設け、発生した電気をコネクタから接続する靴。
【考案の詳細な説明】
【技術分野】
【０００１】この考案は、歩いて靴を踏み付ける行為により、電気を発生する発電する靴に関するものである
【背景技術】
【０００２】従来、靴内部に設けた通気ポンプは、通気性向上の為だけに風を起こしていた。
【先行技術文献】
【０００３】
【実用新案文献１】
実用新案登録第３１１７１８４号
【考案の概要】
【考案が解決しようとする課題】
【０００４】靴内部に新たに、風力発電機を設け、通気ポンプの風によりファンを回転させ発電を目的とする。
【課題を解決するための手段】
【０００５】靴内部爪先部に、通気ポンプを設け、その両端にホースを設け、靴内部ヒール部に風力発電機を設け、一端のホースは外気取り入れ口に繋ぎ、もう一端のホースは靴内部ヒール部の発電機のファン室に繋ぐことで風の流路ができる  本考案は以上のような構成よりなる。
【考案の効果】
【０００６】電気のない場所や停電時には、この靴のコネクタにケーブルとライトを接続して足踏み運動をすることにより、明かりを供給する。靴の形をスニーカーに変えた場合セーフティライトに接続して、小学生の通学用靴に使用できる。
【考案を実施すりための最良の形態】
【０００７】本考案に係る靴１は、図１に示すように外気を取り入れて吹き出す通気ポンプ７と、ファン１１を回転させて発電する風力発電機１０を備えている。歩く行為によりポンプ内の空気は風となり吹き出しホース６を通りファン１１めがけて集中的に吹き出すことでファン１１を回転させて発電しコネクタ９から接続する靴である。
【図面の簡単な説明】
【０００８】
【図１】本考案に係る靴、図３のＡ−Ａ′の断面図である。
【図２】本考案に係る靴の正面図である。
【図３】本考案に係る靴の平面図である。
【符号の説明】
【０００９】１  靴本体
２  本底
３  外気取り入れ口
４  中敷
５  吹き出し口
６  吹き出しホース
６ａ  ポンプ吹き出し弁
７  通気ポンプ
８  吸気ホース
８ａ  ポンプ吸気弁
９  コネクタ
１０  発電機
１１  ファン
【図１】
0003175495.tif 000003
【図２】
0003175495.tif 000004
【図３】
0003175495.tif 000005
(57)【要約】【課題】高温環境における作業での作業員の暑さによる苦痛が軽減される安全チョッキを提供する。【解決手段】メッシュ生地でなるチョッキ本体の表面に反射シート帯を固定して夜間被視認性を高めた安全チョッキにおいて、反射シート帯を表裏貫通する多数の通気孔を有するものにすることで、前記課題を解決する。【選択図】      図１
0003175498.tif 000002
【実用新案登録請求の範囲】
【請求項１】
メッシュ生地でなるチョッキ本体の表面に反射シート帯を固定して夜間被視認性を高めた安全チョッキにおいて、前記反射シート帯の全部又は一部が、表裏貫通する多数の通気孔を有するものであることを特徴とする安全チョッキ。
【請求項２】
前記通気孔の径が３〜１５ｍｍ、隣り合う通気孔との間隔が３〜１５ｍｍである請求項１に記載の安全チョッキ。
【考案の詳細な説明】
【技術分野】
【０００１】
本考案は、夜間等の暗い環境下で被視認性に優れ、着用者の安全を確保するための安全チョッキに関する。
【背景技術】
【０００２】
夜間等の暗い工事現場等では、例えば路上走行する車両からの身の安全を確保するべく、作業員は表面に光を反射し、又は蛍光を発する反射シート帯を有する安全チョッキを着用し、車両からの視認性が確実になるようにしている。
【０００３】
この種の安全チョッキは、作業着などの通常の衣類の上に着用するものであるから、夏期などの気温が高いときや、高温環境における作業では、暑さによって着用者に大きな苦痛を与えていた。このため、下記特許文献１に示されるように、安全チョッキ本体がメッシュ生地で作られているが、着用者は反射シート帯によって蒸し暑さを感じていた。
【先行技術文献】
【特許文献】
【０００４】
【特許文献１】実開平７−１９３０９号公報
【考案の開示】
【考案が解決しようとする課題】
【０００５】
本考案は、夏期などの気温が高いときや、高温環境における作業での作業員の暑さによる苦痛が軽減される安全チョッキを提供することを課題とするものである。
【課題を解決するための手段】
【０００６】
本考案は、メッシュ生地でなるチョッキ本体の表面に反射シート帯を固定して夜間被視認性を高めた安全チョッキにおいて、前記反射シート帯の全部又は一部が、表裏貫通する多数の通気孔を有するものであることを特徴とする安全チョッキである。
【０００７】
本考案の安全チョッキは、反射シート帯に表裏貫通する多数の通気孔を設けたので、着用者の蒸し暑さが軽減される。
【０００８】
前記通気孔の径は３〜１５ｍｍ、隣り合う通気孔との間隔は３〜１５ｍｍが好ましい。通気孔の径とは、孔が円形の場合は直径、非円形の場合は平均径である。通気孔が小さすぎるとチョッキの通気性が不十分になり、大きすぎると反射シート帯の被視認性が低下するので好ましくない。通気孔の間隔が広すぎると通気性が不十分になり、狭すぎると反射シート帯の被視認性が低下するので好ましくない。
【考案の効果】
【０００９】
本考案の安全チョッキは、チョッキ本体がメッシュ生地である上に、反射シート帯に表裏貫通する多数の通気孔を設けたので、チョッキの通気性が改善され、夏期などの気温が高いときや、高温環境における作業での着用者の暑さによる苦痛を軽減することができる。
【図面の簡単な説明】
【００１０】
【図１】実施形態の安全チョッキ１の斜視図である。
【図２】前身頃の説明図である。
【図３】後ろ身頃の説明図である。
【図４】表示部を取り除いた後身頃の説明図である。
【図５】通気孔の説明図である。
【考案を実施するための形態】
【００１１】
図１〜４に示す安全チョッキは、右前身頃２ａ、左前身頃２ｂ、後身頃３を面ファスナ８ａ〜８ｅで着脱自在に接続して構成している。チョッキ本体、すなわち右前身頃２ａ、左前身頃２ｂ、後身頃３の本体はメッシュ生地６で、各見頃の周囲は補強生地７を縁取り状に縫い付けて補強している。
【００１２】
図２に右前身頃２ａと左前身頃２ｂを示す。右前身頃２ａは概略Ｌ字を左右反転した形状をなし、表面には、縦方向に反射シート帯４ａが、下部（腰部）横方向に反射シート帯４ｅが固定されている。反射シート帯４ａには表裏貫通する多数の通気孔５が設けられている。上端部には面ファスナ８ａが、下部（腰部）左右端には面ファスナ８ｃ、８ｅが取り付けられている。
【００１３】
左前身頃２ｂは概略Ｌ字形状をなし、表面には、縦方向に反射シート帯４ｂが、下部（腰部）横方向に反射シート帯４ｆが固定されている。反射シート帯４ｂには表裏貫通する多数の通気孔５が設けられている。上端部には面ファスナ８ｂが、下部（腰部）左右端には面ファスナ８ｄ、８ｅが取り付けられている。なお、面ファスナ８ｅは裏側に取り付けられている。
【００１４】
図３，４に後身頃３を示す。図３は表示部９を取り付けた状態、図４は取り外した状態である。後身頃３は、襟ぐりの左右の肩部が上方に突出し、下端の腰部が左右に突出した形状になっている。表面には、下端の腰部の全体に亘って水平方向に反射シート帯４ｇが固定され、両側の肩部上端から反射シート帯４ｇに至るまで概略Ｖ字状に反射シート帯４ｃ、４ｄが固定されている。反射シート帯４ｃ、４ｄには表裏貫通する多数の通気孔が設けられている。
両側の肩部上端の裏側に面ファスナ８ａ、８ｂが、腰部の左右端部の裏側に面ファスナ８ｃ、８ｄが取り付けられている。また、反射シート帯４ｃ、４ｄの中間部の表面側に、表示部９を取り付けるための面ファスナ８ｆが取り付けられている。
【００１５】
本考案において、反射シート帯は、再帰反射材などの光を強く反射する素材や蓄光材などの発光する素材、又はこれらを組み合わせた素材で形成される。
【００１６】
表示部９は反射シート帯と同じ反射シートでなり、チョッキ着用者の社名、所属、担当業務など必要な情報が表示されているもので、裏側に面ファスナ８ｆが取り付けられ、後身頃３の面ファスナ８ｆに着脱自在に取り付けられる。
【００１７】
右前身頃２ａと後身頃３は面ファスナ８ａ、８ｃで接続される。左前身頃２ｂと後身頃３は面ファスナ８ｂ、８ｄで接続される。右前身頃２ａと左前身頃２ｂは面ファスナ８ｅで接続される。このようにして各見頃が接続された安全チョッキ１は、前側及び後側にＶ字状の反射シート帯が構成され、また、腰回り全周にも反射シート帯が構成される。
【００１８】
図５は、反射シート帯に設ける通気孔５のパターンの例である。通気孔５は直径ｄの円形である。通気孔の間隔は横方向がａ、斜め方向がｂとなっている。直径ｄは３〜１５ｍｍが好ましい。隣り合う通気孔との間隔ａ，ｂも３〜１５ｍｍが適当である。
【００１９】
本考案において、反射シート帯のメッシュ生地への固定方法は、縫い付け、接着、溶着など自由である。
【符号の説明】
【００２０】
１  安全チョッキ
２ａ、２ｂ  前身頃
３  後身頃
４ａ、４ｂ、４ｃ、４ｄ、４ｅ、４ｆ、４ｇ  反射シート帯
５  通気孔
６  メッシュ生地
７  補強生地
８ａ、８ｂ、８ｃ、８ｄ、８ｅ、８ｆ  面ファスナ
９  表示部
【図１】
0003175498.tif 000003
【図２】
0003175498.tif 000004
【図３】
0003175498.tif 000005
【図４】
0003175498.tif 000006
【図５】
0003175498.tif 000007
(57)【要約】      （修正有）【課題】缶ビール、缶コーヒーや粒入りコーンスープ等を飲食すると、最後に少量の飲料と数粒のコーン等が缶蓋と本体の縁の接着部に残り、完全に飲食することが困難です。容器内の内容物全部を容易に排出し、残すことなく完全に飲食できる飲料容器を提供する。【解決手段】飲料等の容器における缶蓋に開口される飲み口先端部Ａ１を、本体容器の縁１に接触させた位置Ｂ１、或いは１ミリ程度離して設定し、内容物が残留しないようにした。さらに、容器内の内容物が排出しやすいように、本体容器の縁１と飲み口先端部Ａ１の接触幅を長めにした。【選択図】図１
0003175494.tif 000002
【実用新案登録請求の範囲】
【請求項１】
飲料等の容器で缶蓋に有る、プルタブ方式やステイオンタブ式、或いはシール方式によって開口される飲み口（５イ）の先端部（Ａ１）を、本体容器の縁（１）に接した位置（Ｂ１）、或いは１ミリ程度離して設定することを特徴とする飲料等の容器です。
【考案の詳細な説明】
【技術分野】
【０００１】この考案は、飲料等の容器における缶蓋（２）に、各種方式によって開口する飲み口（５イ）の先端部（Ａ１）を本体容器の縁（１）に接した位置（Ｂ１）、或いは１ミリ程度離して設定することによって、容器内の液体や固形物等全てが、容器を傾けることによって、容易に、残留物がなくなるまで排出可能にした容器（図１・図２）です。
【背景技術】
【０００２】従来、飲料等の容器における缶蓋に開口される飲み口（５ロ）の先端部（Ａ２）の位置は、本体容器の縁（１）から缶蓋の中心に向かって５ミリ程度（Ｂ２）内側に設定されていました。
【考案の概要】
【考案が解決しようとする課題】
【０００３】缶ビール、缶コーヒーや粒入りコーンスープ等を飲食すると、最後に少量の飲料と数粒のコーン等が缶蓋と本体の縁に残り（図４ニ・ホ）、完全に飲食することが困難です。この考案は、容器内の内容物全部を、容易に排出できるようにしたものです。
【課題を解決するための手段】
【０００４】この考案は、課題を解決する為に、飲料等の容器における缶蓋に開口される飲み口（５イ）の先端部（Ａ１）を、本体容器の縁（１）に接触させた位置（Ｂ１）、或いは１ミリ程度離して設定し、内容物がニ・ホの様に残留しないようにした。【０００５】容器内の内容物が排出しやすいように、本体容器の縁（１）と飲み口先端部（Ａ１）の接触距離（６）から（７）を長めにした。
【考案の効果】
【０００６】ビールやコーヒー、或いはコーンスープや粒入りおしるこ等を飲食すると内容物が残留していたのが、この考案によって完全飲食が可能になり、満足できる。【０００７】今までは、残留物がゴミ袋の中に流出しゴミ袋に溜まり、さらにゴミ袋からも外に流出していたのが改善され、環境的に良くなります。
【考案を実施するための最良の形態】
【０００８】容器の飲み口（５イ）を密閉する蓋（４）を開放するのに、どの開放方式が使用されても、飲み口が本体容器の縁に接触した位置に設定する。【０００９】飲み口と本体容器の縁との接触幅（６から７）は、開放時に問題がおきなければ広い方が良いが、飲食者の口の大きさも考慮して設定します。
【図面の簡単な説明】
【００１０】添付図面は、リベットＲでタブ（３）と飲み口を密閉する蓋（４）を缶蓋（２）に固定した、ステイオンタブ式飲料缶を参考としています。
【図１】この考案による飲料等の容器における缶蓋を上部より見た図です。
【図２】この考案による飲料等の容器全体を側面より見た図です。
【図３】従来の飲料等の容器における缶蓋を上部より見た図です。
【図４】従来の飲料等の容器全体を側面より見た図です。
【符号の説明】
【００１１】（１）  本体容器の縁
（２）  本体容器の缶蓋
（３）  タブ
（４）  飲み口を密閉する蓋
（５イ）この考案による容器の飲み口部
（５ロ）従来容器の飲み口部
（６）（７）
この考案による本体容器の縁と飲み口先端部との接触部分の両端点
（Ａ１）この考案による容器の飲み口の先端部
（Ａ２）従来容器の飲み口の先端部
（Ｂ１）この考案による容器の飲み口先端部と本体容器の縁との接触部分
（Ｂ２）従来の容器の飲み口先端部と本体容器の縁との間隔５ミリ
（ハ）  この考案によって排出された固形内容物
（ニ）（ホ）
従来容器における本体容器の縁と缶蓋との接点角に残留した液体と固形物
【図１】
0003175494.tif 000003
【図２】
0003175494.tif 000004
【図３】
0003175494.tif 000005
【図４】
0003175494.tif 000006
(57)【要約】      （修正有）【課題】基礎台の中に水を重として利用し、上下板を水平方向に１８０度回転させる事により、高さを簡単に変えられる、洋式トイレ用の踏み台を提供する。【解決手段】踏み台は基礎台と高さの変わる、上下板１とで構成する。基礎台に水を入れる空所を備え、上下板の下部に備えた長方形の柱状部材２、３を収納する深い穴と、浅い穴とを備える。さらに、基礎台には、縦方向に深い穴の時には、横方向に浅い穴が十字の型に左右対称で前後非対称に備わり、縦方向に浅い穴の時は、横方向に深い穴が同じように十字の型であいている。上下板は長方形の柱状部材を、前方は横方向に備わり、後方は縦方向に備わる。【選択図】図１
0003175467.tif 000002
【実用新案登録請求の範囲】
【請求項１】
基礎台と、水平方向へ１８０度の回転により、高さの変えられる上下板から成る踏み台。
【請求項２】
基礎台には水の入る空所を備える請求項１の踏み台。
【請求項３】
前記の基礎台には、上下板が低い位置に有る時に長方形の柱状部材が収まる深い穴と、上下板が高い位置に有る時に収まる浅い穴が、十字の型で４組空いており、前方の穴は横方向が深く縦方向の穴は浅い、後方の穴は縦方向が深く横方向の穴は浅い請求項１の踏み台。
【請求項４】
上下板の下方には長方形の柱状部材を備え、前方の柱状部材は横に長く、後方の柱状部材は縦に長く、水平方向に１８０度回転させる事で柱状部材の収まる、穴の深さが変わり上下板の高さを変えられる請求項１の踏み台。
【考案の詳細な説明】
【技術分野】
【０００１】  本案は、基礎台と上下板から成り、基礎台の中に水を重として利用し、上下板を水平方向に１８０度回転させる事により、高さを簡単に変えられる、洋式トイレ用の踏み台に関する。
【背景技術】
【０００２】（１）今まで多く作られた洋式トイレ用の踏み台は、幼児たちが利用する為の物が主で、四角い板を便器のＵ字型に、くり抜いただけの大きな物か、プラスチックなどの軽い素材で出来た、不安定な製品ばかりである。
（２）幼児用の踏み台は、子供や小柄な大人達がトイレを利用する時、高すぎて使えず邪魔に成っています。
（３）高さや重さを簡単に変えられ、幼児から子供や小柄な大人達まで使える、コンパクトで安全な踏み台は有りません。
【考案が解決しようとする課題】
【０００３】（１）一台の踏み台で、幼児から子供や小柄な大人達まで利用できるように、高さを簡単に変えられるようにする。
（２）最近の洋式トイレにはウオシュレット（登録商票）が付いていますが、子供や小柄な大人達は便座が高い為に、足が床にとどかずお尻の位置を合せるのに、とても困っています。
（３）幼児用の踏み台は子供や小柄な大人達には、高すぎて利用出来ず、自分達がトイレを使用する時には邪魔に成っています。
（４）軽い素材で出来た物や小さな踏み台は、バランスが悪く不安定でズレたり倒れたりし易く、安全面に問題が有ります。
（５）掃除の時の事を考えて、重さを利用者の判断で、希望の重さに変えられるようにする。
（６）幼児から子供や小柄な大人達まで快適にトイレを使用出来るようにする。
【課題を解決するための手段】
【０００４】（１）踏み台は基礎台と高さの変わる、上下板とで構成する。
（２）基礎台に水を入れる空所を備える。
（３）基礎台には上下板の下部に備えた長方形の柱状部材を収納する深い穴と、浅い穴とを備える。
（４）基礎台には、縦方向に深い穴の時には、横方向に浅い穴が十字の型に左右対称で前後非対称に備わり、縦方向に浅い穴の時は、横方向に深い穴が同じように十字の型で空いている。
（５）上下板は長方形の柱状部材を、前方は横方向に備わり、後方は縦方向に備わる。
【考案の効果】
【０００５】（１）高さが簡単に変えられるので、この一台で幼児から小柄な大人達まで、快適にトイレを利用出来るように成る。
（２）軽い素材でできた踏み台も、水の重みで安定しウォシュレット（登録商票）に合せる時に、ズレ難く安全な製品に成る。合わせる
【図面の簡単な説明】
【０００６】
【図１】上下板を立体的に描いた図である。
【図２】基礎台を立体的に描いた図である。
【図３】基礎台と上下板の関係を示す側面図である。
【図４】基礎台を真上から描いた平面図である。
【考案を実施するための形態】
【０００７】  踏み台は基礎台４と高さの変わる上下板１とで、構成される。
基礎台４には、上下板１の下方に付いた長方形の柱状部材２・３が低い時に収まる深い穴５と、上下板１を水平に１８０度回転させて、高くした時に収まる浅い穴６が十字の型で、左右対称に前後非対称に空いている。
図１に示すように、上下板１には長方形の柱状部材２・３が４本備わり、前方の柱状部材２は横方向に長く、後方の柱状部材３は縦方向に長く備わっている。
図２に示すように、基礎台４には４ヶ所に十字の型で穴が空いており、前方の穴は横方向が深く縦方向が浅い、後方の穴は縦方向が深く横方向が浅い。
図３に示すように、上下板１の柱状部材２・３は前方が横方向の時後方は縦方向と成り、深い穴５に収まり上下板１は低い位置と成る。
１８０度水平回転させると上下板１の柱状部材２・３は、前方が縦方向に成り後方が横方向と成り、浅い穴６に収まり上下板１の位置は高く成る。
図４に示すように、基礎台４には水の入る空所９を備える。
【符号の説明】
【０００８】１  上下板
２  前方の柱状部材
３  後方の柱状部材
４  基礎台
５  深い穴
６  浅い穴
７  深い穴の側面
８  浅い穴の側面
９  水の入る空所
【図１】
0003175467.tif 000003
【図２】
0003175467.tif 000004
【図３】
0003175467.tif 000005
【図４】
0003175467.tif 000006
【手続補正書】
【提出日】平成24年2月17日(2012.2.17)
【手続補正１】
【補正対象書類名】実用新案登録請求の範囲
【補正対象項目名】全文
【補正方法】変更
【補正の内容】
【実用新案登録請求の範囲】
【請求項１】
基礎台と、水平方向へ１８０度の回転により、高さの変えられる上下板から成るこの踏み台は、基礎台の４隅に長方形の穴が、十字の型で深い穴と浅い穴がクロスするように空いており、前方の穴は横方向が深く縦方向の穴は浅い、後方の穴は縦方向が深く横方向の穴は浅い、上下板は下方に基礎台の深い穴の位置に合せて、４隅に長方形の柱状部材を備え、前方の柱状部材は横に長く後方の柱状部材は縦に長い、上下板を持ち上げ水平方向に１８０度回転させて、セットする事で柱状部材の収まる基礎台の、穴の深さが変わり上下板の高さを変えられる踏み台。
【請求項２】
基礎台には水の入る空所を備える請求項１の踏み台。
(57)【要約】      （修正有）【課題】スポンジを使用した簡易艶出し具にあって、スポンジ体を２分割し、表裏４面を使用出来るようにした簡易艶出し又は洗浄具を提供する。【解決手段】汚れ落とし又は艶出し機能を有する略同形同大の２体のスポンジ体３と、これを収容する略同輪郭の受箱２と蓋１の２体からなる外装容器１、２から上記簡易艶出し又は洗浄具を構成する。また、該スポンジ体３は、２体とも手で扱うに適した大きさの略板状体であって、該外装容器の受箱２と蓋１は、互いに向かい合わせて２体の重ねたスポンジ体３を密着状に収容する。ここで、その受箱２と蓋１の深さの比を約１：３にするとともにその両者を向かい合わせて接近する外縁箇所に外リブ４を共に設ける。またスポンジ体３の周側面にくびれ５を形成させる。【選択図】図１
0003175469.tif 000002
【実用新案登録請求の範囲】
【請求項１】
汚れ落とし又は艶出し機能を有する略同形同大の２体のスポンジ体と、これを収容する略同輪郭の受箱と蓋の２体からなる外装容器から成り、該スポンジ体は２体とも手で扱うに適した大きさの略板状体であって、該外装容器の受箱と蓋は互いに向かい合わせて２体の重ねた該スポンジ体を密着状に収容するが、その受箱と蓋の深さの比を約１：３にするとともにその両者を向かい合わせて接近する外縁箇所に外リブを共に設けたことを特徴とする簡易艶出し又は洗浄具。
【請求項２】
該スポンジ体の周側面にくびれが形成された請求項１記載の簡易艶出し又は洗浄具。
【考案の詳細な説明】
【技術分野】
【０００１】この考案は、靴磨き等の艶出し具や流し台等の汚れ落とし・洗浄具等に関する。
【背景技術】
【０００２】従来の靴磨き等の艶出し具やスポンジ製汚れ落とし等は、一般に図３のような略同形・同大の蓋（１）と受箱（２）とより成る外装容器（１）（２）の中に艶出し剤等を含有させたスポンジ体（３）を密着状に収容し、使用時には図４のように蓋１を外してスポンジ体３の上半分を露出させ、そこで対象物を拭くなどしていた。またその半分が汚れて使えなくなったら、スポンジ体（３）を取り出して裏返し、逆に収容されていた側を露出させて再び使用できるようにしていた。
【考案の開示】
【考案が解決しようとする課題】
【０００３】この場合は一応、スポンジ体の全表面近くが使用できるものの、スポンジ体の内部材料の多くが生かされておらず、また対象物の細かい凹溝などの処理には不向きであった。本考案はかかる問題点を解決することを課題とする。
【課題を解決するための手段】
【０００４】図１のように、汚れ落とし又は艶出し機能を有する略同形同大の２体のスポンジ体（３）と、これを収容する略同輪郭の受箱（２）と蓋（１）の２体からなる外装容器（１）（２）から成り、該スポンジ体（３）は、２体とも手で扱うに適した大きさの略板状体であって、該外装容器の受箱（２）と蓋（１）は、互いに向かい合わせて２体の重ねたスポンジ体（３）を密着状に収容するが、その受箱（２）と蓋（１）の深さの比を約１：３にするとともにその両者を向かい合わせて接近する外縁箇所に外リブ（４）を共に設けて、本考案の簡易艶出し又は洗浄具とする。【０００５】なお、該スポンジ体（３）の周側面にくびれ（５）を形成させると、、その結果、角部が鋭角状となるから、対象物の凹溝等を洗浄処理するのに好適である。【０００６】本考案の艶出し又は洗浄具の全体形状や寸法は、基本的に在来の使い勝手のよいものを踏襲すればよい。例えば掌大板状の円角長方形、円形、楕円形等である。【０００７】外装容器となる蓋（１）や受箱（２）は、プラスチックシートの真空成型法で得られるもののように薄くて屈曲性があり、密着状に収容したスポンジ体（３）を指先で出し入れし易いようなものが好ましい。【０００８】その蓋（１）と受箱（２）は、互いに向かい合わせてスポンジ体（３）を収容したときに縁部がドン付け状態となるわけであるが、そこに外リブ（４）を設けるのは、蓋（１）等の脱着を容易にするためである。
【考案の効果】
【０００９】本考案の艶出し又は洗浄具は、これを用いる際には図２のように、全体の３／４の深さを有する蓋（１）を、２体のうち片方のスポンジ体（３）を収めたまま取り外すことにより、１／４の深さの受箱（２）に残った他方のスポンジ体（３）の上半分が露出する形となるから、これをもって対象物を艶出し又は洗浄する。【００１０】その際、くびれ（５）により生じる鋭角エッジ（６）は溝等を洗浄するのに有利である一方、スポンジ体の厚みが２分割されていることから、くびれの存在により受箱等の容器に該スポンジ体を収容するのに支障をきたすことはない。【００１１】こうして受箱（２）側に残ったスポンジ体の片側を使い切ったら、これを反転させて同様に他（裏）側を使い、これも使い切ったら、今度は蓋（１）に残ったスポンジ体を取り出して受箱（２）に収め、これも同様に表裏両方を使い切ることができる。【００１２】すなわち１つの製品で従来の２倍にあたる４回分使うことができ、スポンジ体の内部に含浸させたシリコンワックス等の艶出し剤も無駄なく使用されると共に、対象物の細溝等も処理し易いなどの効果がある。
【考案を実施するための最良の形態】
【００１３】外装容器（１）（２）とスポンジ体（３）の輪郭は、共に角を丸めた略長方形で縦約７０ｍｍ、横約１１５ｍｍとし、蓋（１）及び受箱（２）の深さは各々約５ｍｍ及び約１５ｍｍとなるように約０．２ｍｍ厚のプラスチックシートを真空成型し、かつ縁部を屈曲させて外リブ（４）を形成させる。２体のスポンジ体（３）は共に約１０ｍｍ厚で、そのいずれも図のようなくびれ（５）を周縁（こぐち）部に形成させ、またシリコン系の艶出し剤を含浸させて、２体とも外装容器（１）（２）内に摩擦力で容易に逸脱しないように収容して製品化する。なお本考案はかかる例に限定されるものでないことは言うまでもない。
【産業上の利用可能性】
【００１４】本考案の洗浄又は艶出し具は製造容易でメリットも大きいから、産業上の利用可能性は十分にある。
【図面の簡単な説明】
【００１５】
【図１】本考案一例の側断面図
【図２】本考案一例の使用時を表す側断面図
【図３】従来品の側断面図
【図４】従来品の使用時を表す側断面図
【符号の説明】
【００１６】（１）……蓋
（２）……受箱
（３）……スポンジ体
（４）……外リブ
（５）……くびれ
（６）……鋭角エッジ
【図１】
0003175469.tif 000003
【図２】
0003175469.tif 000004
【図３】
0003175469.tif 000005
【図４】
0003175469.tif 000006
(57)【要約】      （修正有）【課題】スライド式クロマチックハーモニカに装飾を施し、かつ自在に装飾の付け替えを可能とする装飾具を提供する。【解決手段】楽器にマグネットを貼付し、装飾を施した鉄粉シートと組み合わせて使用することで課題を解決する。ＴＰＯに合わせてデザインを変更できるため、結婚式での演奏には華やかなデザインの装飾を使い、音楽葬等弔事での演奏には色調を抑えたデザインに変更する等の配慮が可能となる。【選択図】図１
0003175463.tif 000002
【実用新案登録請求の範囲】
【請求項１】
ビーズ等による装飾を鉄粉シートに施し、それをマグネット板で固定することにより容易な付け替えを可能にする装飾方式
【考案の詳細な説明】
【技術分野】
【０００１】本考案は、鉄粉シートとマグネット板を使用する方式により、スライド式クロマチックハーモニカに装飾を施し、かつ自在に装飾の付け替えを可能とするものである。
【背景技術】
【０００２】楽器に直接的に装飾を施す場合、その装飾を取り外してデザインを変更することは容易ではない。
【考案の概要】
【考案が解決しようとする課題】
【０００３】楽器に直接的に装飾を施す場合、時や場所に応じた適切なデザインを選択するためには楽器を複数所有しなければならない点を解決しようとするものである。
【課題を解決するための手段】
【０００４】本考案は、装飾したい楽器にマグネット板を貼り、マグネット板とほぼ同サイズの鉄粉シートに接着剤などでラインストーンやビーズ等の装飾をつけたものを磁力で固定するようにした。
デザインを施した鉄粉シートを数種類用意することにより、ＴＰＯに合わせて装飾を変更自在とすることで課題を解決している。
【考案の効果】
【０００５】ＴＰＯに合わせてデザインを変更できるため、結婚式での演奏には華やかなデザインの装飾を使い、音楽葬等弔事での演奏には色調を抑えたデザインに変更する等の配慮が可能となる。
【図面の簡単な説明】
【０００６】
【図１】本考案をスライド式クロマチックハーモニカの底部に使用する場合の図である。
【符合の説明】
【０００７】１．スライド式クロマチックハーモニカ底部
２．マグネット板
３．鉄粉シート
ａ．マグネット板貼付箇所
【図１】
0003175463.tif 000003
【手続補正書】
【提出日】平成24年2月13日(2012.2.13)
【手続補正１】
【補正対象書類名】実用新案登録請求の範囲
【補正対象項目名】全文
【補正方法】変更
【補正の内容】
【実用新案登録請求の範囲】
【請求項１】
ビーズ等による装飾を鉄粉シートに施し、それをマグネット板で固定することにより容易な付け替えを可能にする装飾具
(57)【要約】      （修正有）【課題】持ち手が限定されない、掌サイズの美容器を提供する。【解決手段】純チタン、プラチナ又はゲルマニウムからなり、外側に向けて湾曲した棒状部分と、内側に向けて湾曲した棒状部分からなる中空の三角形状を有する。【選択図】図１
0003175465.tif 000002
【実用新案登録請求の範囲】
【請求項１】
純チタンにより形状されたことを特徴とする美容器。
【請求項２】
前記金属は、プラチナであることの請求項１記載の美容器。
【請求項３】
前記金属は、ゲルマニウムであることの請求項１記載の美容器。
【考案の詳細な説明】
【技術分野】
【０００１】  本考案は、純チタンを得た掌サイズに形状された曲線１返及び、他曲線２返、他曲線３返更に、曲線１点、他曲線２点、他曲線３点を有する三角形を特徴とする身体へのマッサージ効果を促進する美容器に関するものである。
【背景技術】
【０００２】  従来において美容器では、タッピング回転子にプラチナ、ゲルマニウム、更に純チタンなど金属素材を等間隔に規則的に装着し持ち手を有した構造やローラー単体をプラチナ、ゲルマニウム、更に純チタンなど金属素材の形状とし持ち手を有した構造のものを使用することによりマッサージを施していた。
【考案の概要】
【考案が解決しようとする課題】
【０００３】  従来において美容器では、タッピング回転子にプラチナ、ゲルマニウム、更に純チタンなど金属素材を等間隔にて規則的に装着し持ち手を有した構造によりマッサージを施していた。その際には、タッピング回転子に装着された金属素材プラチナ、ゲルマニウム、更に純チタンなどは全面に装着されていることなく肌への効果は不規則性となり不安定なものであり総重量も使用者へ負担となり問題点が多く利便性に欠けていた。更に従来においてローラー単体をプラチナ、ゲルマニウム、更に純チタンなど金属素材の形状とし持ち手を有した構造によりマッサージを施す際は使用者へ負担となり総重量は問題点となり利便性に欠けていた。従って、持ち手の限定されない純チタンを得た掌サイズに形状された曲線１返及び、他曲線２返、他曲線３返更に、曲線１点、他曲線２点、他曲線３点を有する三角形を特徴とする身体へのマッサージを促進する美容器を使用することにより前述の欠点を解決しようとするものである。
【課題を解決するための手段】
【０００４】  そこで、本考案は、持ち手の限定されない純チタンを得た掌サイズに形状された曲線１返及び、他曲線２返、他曲線３返更に、曲線１点、他曲線２点、他曲線３点を有する三角形を特徴とするようにした。曲線１返及び、他曲線２返、他曲線３返更に、曲線１点、他曲線２点、他曲線３点はそれぞれが肌表面での移動が容易にでき肌表面への負担も軽減されることにより使用者の判断にて身体へのマッサージ箇所を自由に選択でき且つ安定的な効果や安全性を備えた利便性を確保し問題点を解決している。
【考案の効果】
【０００５】  上述のように、本考案の持ち手の限定されない純チタンを得た掌サイズの美容器であれば、肌表面への不規則性となり不安定なものであった美容効果や利便性などの問題点も解決されることは勿論、肌の老廃物も除去され、マッサージ効果に伴い血液の循環作用にも働きかけ血行も促進されると同時に刺激を与えることができ老化防止作用を促し美容効果に役立つ。
【図面の簡単な説明】
【０００６】
【図１】本考案の純チタンを得た掌サイズの美容器を示す正面図である。
【図２】本考案の純チタンを得た掌サイズの美容器を示す斜視図である。
【考案を実施するための形態】
【０００７】  本考案の持ち手の限定されない純チタンを得た掌サイズに形状された曲線１返及び、他曲線２返、他曲線３返更に、曲線１点、他曲線２点、他曲線３点を有する三角形を特徴とする美容器にて肌表面へのマッサージを施す際には安全性や利便性を発揮することとなる。曲線１返及び、他曲線２返、他曲線３返更に、曲線１点、他曲線２点、他曲線３点を有する三角形の形状を特徴とするうちの、曲線１返にてマッサージを施す際には肌表面での移動が容易にできるよう他曲線２返若しくは他曲線３返を固定し持つことにより身体へ規則的に安定したマッサージ効果を与えることができる。更に他曲線２返にてマッサージを施す際には、曲線１返若しくは他曲線３返を固定し持つことにより身体へ規則的に安定したマッサージ効果を与えることができる。同様に他曲線３返にてマッサージを施す際には、曲線１返若しくは他曲線２返を固定し持つことにより身体へ規則的に安定したマッサージ効果を与えることができる。身体の肌表面においては、純チタンを得た掌サイズに形状された美容器の移動も容易に行えることで顔肌表面のマッサージをおこなう。更に首筋、うなじ、腕、腹、腰、臀部、腿、ふくらはぎの身体全体へのマッサージもおこなえる。更に純チタンを得た掌サイズに形状された曲線１返及び、他曲線２返、他曲線３返更に、曲線１点、他曲線２点、他曲線３点を有する三角形を特徴とする美容器の曲線１点、他曲線２点及び、他曲線３点を利用することにより身体のあらゆるツボを押し刺激を与え安定した指圧を伴うマッサージ効果にも優れ血液の循環作用にも働きかけ血行も促進され身体全体の老化防止や美容及び美肌効果も得られる。肌表面へかかる負担も軽減されることにより安全性を備えた利便性を確保し問題点を解決している。
【実施例】
【０００８】  以下、添付図面に従って一実施例を説明する。１は曲線１返、２は他曲線２返、３は他曲線３返、４は曲線１点、５は他曲線２点、６は他曲線３点。【０００９】  本考案の一実施例は上述の如き形状からなるものであるから、使用者自身が顔肌表面及び身体全体へ持ち手を自由に選択することによりマッサージを行うことができる。
【符号の説明】
【００１０】１  曲線１返
２  他曲線２返
３  他曲線３返
４  曲線１点
５  他曲線２点
６  他曲線３点
【図１】
0003175465.tif 000003
【図２】
0003175465.tif 000004
【手続補正書】
【提出日】平成24年2月14日(2012.2.14)
【手続補正１】
【補正対象書類名】実用新案登録請求の範囲
【補正対象項目名】全文
【補正方法】変更
【補正の内容】
【実用新案登録請求の範囲】
【請求項１】
金属からなり、外側に向けて湾曲した１返の棒状部分と、内側に向けて湾曲した２返の棒状部分によって構成される略中空の三角形状を有する美容器であって、前記金属は純チタンであることを特徴とする美容器。
【請求項２】
金属からなり、外側に向けて湾曲した１返の棒状部分と、内側に向けて湾曲した２返の棒状部分によって構成される略中空の三角形状を有する美容器であって、前記金属はプラチナであることを特徴とする美容器。
【請求項３】
金属からなり、外側に向けて湾曲した１返の棒状部分と、内側に向けて湾曲した２返の棒状部分によって構成される略中空の三角形状を有する美容器であって、前記金属はゲルマニウムであることを特徴とする美容器。